(57)【要約】【課題】  上下方向における輝度むらの抑制を低コストで実現できる電気光学装置の駆動方法、電気光学装置および電子機器を提供すること。【解決手段】  複数の走査線Ｙ１〜Ｙ６を選択する走査方向を１フレームごとに変更する。ｎフレーム目においては、走査線Ｙ１〜Ｙ６を上から順に選択し（図３（ａ））、ｎ＋１フレーム目においては、複数の走査線Ｙ１〜Ｙ６を下から順に選択する（図３（ｂ））。これにより、アクティブマトリクス部の輝度は、ｎフレーム目においては下の画素２５ほどより明るくなり、ｎ＋１フレーム目においては上の画素２５ほどより明るくなる。その結果、ｎフレーム目における上下方向の輝度むらとｎ＋１フレーム目における上下方向の輝度むらとが互いに打ち消し合う。つまり、各画素の輝度が２フレームで平均化されて同じになり、上下方向における輝度むらが抑制された表示が得られる。【選択図】      図３
2005250382.tif 000002
【特許請求の範囲】
【請求項１】
複数の走査線と複数の信号線の交差部に対応してマトリクス状に配置された複数の画素を備え、各画素に設けたスイッチング素子を介して、各当該画素に正極性のデータ信号と負極性のデータ信号を１フレーム期間ごとに交互に書き込む電気光学装置の駆動方法において、
前記複数の走査線を選択する走査方向を１或いは複数フレームごとに変更することを特徴とする電気光学装置の駆動方法。
【請求項２】
請求項１に記載の電気光学装置の駆動方法において、
各フレームにおいて、前記複数の走査線のうち、偶数行の走査線と奇数行の走査線とで前記走査方向を逆にすることを特徴とする電気光学装置の駆動方法。
【請求項３】
請求項１に記載の電気光学装置の駆動方法において、
各フレームにおいて、前記マトリクス状に配置された複数の画素のうち、偶数列の画素と奇数列の画素とで前記走査方向を逆にすることを特徴とする電気光学装置の駆動方法。
【請求項４】
請求項１に記載の電気光学装置の駆動方法において、
各フレームにおいて、前記マトリクス状に配置された複数の画素のうち、「（偶数行、偶数列）または（奇数行、奇数列）」の画素と「（偶数行、奇数列）または（奇数行、偶数列）」の画素とで前記走査方向を逆にすることを特徴とする電気光学装置の駆動方法。
【請求項５】
請求項１に記載の電気光学装置の駆動方法において、
２フレーム或いは偶数フレームごとに前記走査方向を逆にすることを特徴とする電気光学装置の駆動方法。
【請求項６】
請求項１〜５のいずれか１つに記載の電気光学装置の駆動方法において、
前記各画素への前記データ信号の書き込みを６０ＨＺ以上のフレーム周波数で行うことを特徴とする電気光学装置の駆動方法。
【請求項７】
複数の走査線と複数の信号線の交差部に対応してマトリクス状に配置された複数の画素を備え、各画素に設けたスイッチング素子を介して、各当該画素に正極性のデータ信号と負極性のデータ信号を１フレーム期間ごとに交互に書き込む電気光学装置において、
１フレーム分の表示データを保持するフレームメモリと、
前記複数の走査線を順に選択する走査方向を１或いは複数フレームごとに変更する走査線駆動手段と、
前記走査線駆動手段により選択される走査線に接続された１行分の画素の表示データを前記フレームメモリから読み出し、読み出した１行分の画素の各表示データを対応するデータ信号に変換して各画素に書き込む信号線駆動手段と、を備えることを特徴とする電気光学装置。
【請求項８】
請求項７に記載の電気光学装置を備えることを特徴とする電子機器。
【発明の詳細な説明】
【技術分野】
【０００１】
本発明は、液晶表示装置等の電気光学装置の駆動方法、電気光学装置および電子機器に関する。
【背景技術】
【０００２】
従来の電気光学装置として、マトリクス状に配置された複数の画素にそれぞれ薄膜トランジスタが設けられたアクティブマトリクス液晶表示装置で、各画素の画素電極と液晶を介した対向電極の電位をフィールドごとに反転させるようにしたものが知られている（例えば、特許文献１の図４参照）。この液晶表示装置では、対向電極の電位をフィールドごとに反転させるため、ビデオ信号などのデータ信号の振幅を小さくすることができる。これによりドライバーの耐圧を下げることができ、結果的にドライバーのコストを下げることができる利点が得られる。
【０００３】
また、対向電極の電位をフィールドごとに反転させる駆動方式では、対向電極の電位をフィールドごとに反転させない駆動方式と比べて画面の上下方向の輝度むらが大きくなるが、この輝度むらを抑制する技術が知られている（例えば、特許文献２参照）。この従来技術では、フレームメモリの信号読出しラインをランダムにして、読み出したラインに対応させて走査電極駆動回路による走査電極（走査線）の走査順を設定する。つまり、走査の順番をランダムにすることによって、画面の上下方向における輝度むらを抑制するようにしている。
【特許文献１】特開平８―３３４７４１号公報
【特許文献２】特開平６−２６６３１０号公報
【発明の開示】
【発明が解決しようとする課題】
【０００４】
ところで、上記特許文献２の従来技術では、複数の走査線をランダムに選択するように走査線駆動回路を駆動制御するため、走査線駆動回路が複雑になり、製造コストが高くなってしまうという問題があった。
【０００５】
本発明は、このような従来の問題点に鑑みてなされたもので、その目的は、上下方向における輝度むらの抑制を低コストで実現できる電気光学装置の駆動方法、電気光学装置および電子機器を提供することにある。
【課題を解決するための手段】
【０００６】
本発明における電気光学装置は、複数の走査線と複数の信号線の交差部に対応してマトリクス状に配置された複数の画素を備え、各画素に設けたスイッチング素子を介して、各当該画素に正極性のデータ信号と負極性のデータ信号を１フレーム期間ごとに交互に書き込む電気光学装置の駆動方法において、前記複数の走査線を選択する走査方向を１或いは複数フレームごとに変更することを要旨とする。
【０００７】
これによれば、複数の走査線を選択する走査方向を１或いは複数フレームごとに変更するようにしている。例えば、その走査方向を１フレームごとに変更する場合、あるフレーム（ｎフレーム目）においては、複数の走査線を最上位行から最下位行まで上から順に選択し、次のフレーム（ｎ＋１フレーム目）においては、複数の走査線を最下位行から最上位行まで下から順に選択する。これにより、複数の画素を含む表示領域の輝度が、ｎフレーム目においては下の画素ほどより明るくなるとすると、ｎ＋１フレーム目においては上の画素ほどより明るくなる。その結果、ｎフレーム目における上下方向の輝度むらとｎ＋
１フレーム目における上下方向の輝度むらとが互いに打ち消し合う。つまり、各画素の輝度が２フレーム単位で平均化されて同じになり、上下方向における輝度むらが抑制された表示が得られる。このよう表示は、走査方向を複数フレームごとに変更する場合にも同様に得られる。
【０００８】
また、上下方向における輝度むらを抑制するための駆動方法を実現するのに、走査方向を１フレーム或いは複数フレームごとに変更するように構成するだけでよいので、複数の走査線を駆動する走査線駆動回路の構成が複雑になって、製造コストが高くなるのを回避できる。
【０００９】
したがって、上下方向における輝度むらの抑制を低コストで実現することができる。
この電気光学装置の駆動方法において、各フレームにおいて、前記複数の走査線のうち、偶数行の走査線と奇数行の走査線とで前記走査方向を逆にすることを要旨とする。
【００１０】
これによれば、１フレーム或いは複数フレームごとに走査方向を逆にするとともに、各フレームにおいて、複数の走査線のうち、偶数行の走査線と奇数行の走査線とで走査方向を逆にすることで、１フレーム或いは複数フレームごとに走査方向を逆にすることにより生じるフリッカを低減することができる。
【００１１】
この電気光学装置の駆動方法において、各フレームにおいて、前記マトリクス状に配置された複数の画素のうち、偶数列の画素と奇数列の画素とで前記走査方向を逆にすることを要旨とする。
【００１２】
これによれば、１フレーム或いは複数フレームごとに走査方向を逆にするとともに、各フレームにおいて、マトリクス状に配置された複数の画素のうち、偶数列の画素と奇数列の画素とで走査方向を逆にすることで、１フレーム或いは複数フレームごとに走査方向を逆にすることにより生じるフリッカを低減することができる。
【００１３】
この電気光学装置の駆動方法において、各フレームにおいて、前記マトリクス状に配置された複数の画素のうち、「（偶数行、偶数列）または（奇数行、奇数列）」の画素と「（偶数行、奇数列）または（奇数行、偶数列）」の画素とで前記走査方向を逆にすることを要旨とする。
【００１４】
これによれば、１フレーム或いは複数フレームごとに走査方向を逆にするとともに、各フレームにおいて、マトリクス状に配置された複数の画素のうち、「（偶数行、偶数列）または（奇数行、奇数列）」の画素と「（偶数行、奇数列）または（奇数行、偶数列）」の画素とで走査方向を逆にすることで、上記フリッカを低減することができる。
【００１５】
この電気光学装置の駆動方法において、２フレーム或いは偶数フレームごとに前記走査方向を逆にすることを要旨とする。
これによれば、２フレームごとに走査方向を逆にすることにより、走査方向が同じである連続する２フレームにおいて、正負の電荷が打ち消し合う。つまり、走査方向が同じである連続する２フレーム間で、各画素２５の液晶には、同じ値の電圧が印加されることになり、直流電圧成分が液晶に印加されるのを防止できる。
【００１６】
なお、上下方向における輝度むらについては、２フレームごとに走査方向を逆にすることにより、各画素の輝度が４フレームで平均化されて同じになり、上下方向における輝度むらが抑制された表示が得られる。
【００１７】
この電気光学装置の駆動方法において、前記各画素への前記データ信号の書き込みを６
０ＨＺ以上のフレーム周波数で行うことを要旨とする。
これによれば、１フレーム或いは複数のフレームごとに走査方向を逆にするとともに、各フレームにおいて、各画素２５へのデータ信号の書き込みを６０ＨＺ以上のフレーム周波数で行うことで、１フレーム或いは複数のフレームごとにごとに走査方向を逆にすることにより生じるフリッカを低減することができる。
【００１８】
本発明における電気光学装置は、複数の走査線と複数の信号線の交差部に対応してマトリクス状に配置された複数の画素を備え、各画素に設けたスイッチング素子を介して、各当該画素に正極性のデータ信号と負極性のデータ信号を１フレーム期間ごとに交互に書き込む電気光学装置において、１フレーム分の表示データを保持するフレームメモリと、前記複数の走査線を順に選択する走査方向を１或いは複数フレームごとに変更する走査線駆動手段と、前記走査線駆動手段により選択される走査線に接続された１行分の画素の表示データを前記フレームメモリから読み出し、読み出した１行分の画素の各表示データを対応するデータ信号に変換して各画素に書き込む信号線駆動手段と、を備えることを要旨とする。
【００１９】
これによれば、複数の走査線を選択する走査方向を１或いは複数フレームごとに変更するようにしている。これにより、各画素の輝度が２フレーム単位で或いは（２×複数フレーム）単位で平均化されて同じになり、上下方向における輝度むらが抑制された表示が得られる。
【００２０】
また、上下方向における輝度むらを抑制するための駆動方法を実現するのに、走査方向を１フレーム或いは複数フレームごとに変更するように構成するだけでよいので、複数の走査線を駆動する走査線駆動手段の構成が複雑になって、製造コストが高くなるのを回避できる。
【００２１】
したがって、上下方向における輝度むらの抑制を低コストで実現することができる。
本発明における電子機器は、上記発明に係る電気光学装置を備えることを要旨とする。
これによれば、上下方向における輝度むらが抑制された高品質な表示を実現することができる。
【発明を実施するための最良の形態】
【００２２】
以下、本発明を具体化した各実施形態を図面に基づいて説明する。
[第１実施形態]
本発明の第１実施形態に係る液晶表示装置を図１〜図７に基づいて説明する。
【００２３】
図１は第１実施形態に係る液晶表示装置２０の電気的構成を概略的に示しており、図２は表示領域としてのアクティブマトリクス部２１の電気的等価回路の一部を示している。また、図３（ａ）は液晶表示装置２０で実行するｎフレーム目の走査順序を説明するための模式図、図３（ｂ）は同装置で実行するｎ＋１フレーム目の走査順序を説明するための模式図である。
【００２４】
この液晶表示装置２０は、周辺駆動回路を内蔵したｐ−Ｓｉ形ＴＦＴ駆動方式のアクティブマトリクス液晶表示装置（周辺回路内蔵型ＴＦＴ液晶表示装置）である。
液晶表示装置２０は、図１に示すように、複数の走査線Ｙ１〜Ｙｍと、走査線Ｙ１〜Ｙｍと交差するように形成された複数の信号線Ｘ１〜Ｘｎと、走査線Ｙ１〜Ｙｍと信号線Ｘ１〜Ｘｎの各交差部に対応してマトリクス状に配置された複数の画素２５とを含む表示領域としてのアクティブマトリクス部２１を備える。各画素２５には、スイッチング素子としてのポリシリコン形薄膜トランジスタ（ｐ−Ｓｉ形ＴＦＴ）２６がそれぞれ形成されている（図２参照）。ポリシリコン形薄膜トランジスタ２６（以下、「ＴＦＴ２６」という
）を介して各画素２５にデータ信号が書き込まれるようになっている。
【００２５】
また、液晶表示装置２０は、一対の基板として素子基板２２と対向基板（図示省略）とを備え、これら２つの基板の間に電気光学素子としてのＴＮ（Twisted Nematic）型の液
晶が封入されている。
【００２６】
素子基板２２上には、図１に示すように、アクティブマトリクス部２１と、複数の走査線Ｙ１〜Ｙｍを駆動するための走査線駆動回路３３と、複数の信号線Ｘ１〜Ｘｎを駆動するための信号線駆動回路３４とが形成されている。
【００２７】
また、液晶表示装置２０は、走査線駆動回路３３及び信号線駆動回路３４を制御するための制御回路３５を備える。制御回路３５には、表示データ、同期信号、及びクロック信号等が外部回路から入力されるようになっている。本実施形態では、表示データはビデオ信号などのデジタル階調データである。同期信号は、垂直同期信号と水平同期信号である。クロック信号は、図５に示すクロック信号ＣＬＹ及び信号線駆動回路３４に入力されるドットクロック信号等である。
【００２８】
制御回路３５から走査線駆動回路３３及び信号線駆動回路３４には、フレーム反転駆動等を行うための各種の信号が信号線３７ａ，３７ｂをそれぞれ介して供給される。
この液晶表示装置２０は、マトリクス状に配置された複数の画素２５の各ＴＦＴ２６を介して各画素２５に正極性のデータ信号（電圧信号）と負極性のデータ信号を全画面同極性で、１フレームごと（１フレーム期間ごと）に交互に書き込むフレーム反転駆動を行うようになっている。また、液晶表示装置２０は、図５に示すように、対向電極電位ＬＣＣＯＭを低い電圧ＬＣＣＯＭＬと高い電圧ＬＣＣＯＭＨとの間で１フレームごとに反転させるコモン振り駆動を行うようになっている。
【００２９】
なお、ここにいう「対向電極電位ＬＣＣＯＭ」は、素子基板２２上に形成された各画素２５の画素電極２９と液晶２４を介して対向する対向電極３０（図２参照）に印加される電位である。また、「１フレーム」は、走査線Ｙ１〜Ｙｍを所定の順に選択して全ての画素２５の容量（液晶容量３１及び蓄積容量３２）にデータ信号を書き込むことで１画面の表示がなされる期間をいう。
【００３０】
図２に示すように、各画素２５のＴＦＴ２６のゲートは各走査線Ｙ１〜Ｙｍに、そのソースは各信号線Ｘ１〜Ｘｎに、そして、そのドレインは各画素電極２９にそれぞれ接続されている。各画素２５の画素電極２９と対向電極３０は液晶２４を介してそれぞれ対向している。この対向電極３０の電位（対向電極電位ＬＣＣＯＭ）を１フレームごとに低い電圧ＬＣＣＯＭＬと高い電圧ＬＣＣＯＭＨとの間で反転させて上記フレーム反転駆動、コモン振り駆動を行う。
【００３１】
また、各画素２５は、画素電極２９と対向電極３０の間の液晶２４で構成される液晶容量３１と、この液晶容量３１と並列に接続され、同液晶容量３１からの電荷のリークによる電圧の降下を低減するための容量素子である蓄積容量３２とを備えている。各蓄積容量３２の一方の端子は、容量配線４１に接続されている。
【００３２】
そして、各画素２５の画素回路は、ＴＦＴ２６がオン（導通状態）になると、ビデオ信号などのデジタル階調データがＤ／Ａ変換されたデータ信号（電圧信号）がＴＦＴ２６を介して液晶容量３１と蓄積容量３２とに書き込まれ、ＴＦＴ２６がオフ（非導通状態）になると、これらの容量に電荷が保持されるようになっている。
【００３３】
ところで、このような液晶表示装置２０では一般に、上記フレーム反転駆動を行うこと
によりアクティブマトリクス部２１内に上下方向における輝度むらが発生する。例えば、全ての画素を同じ輝度で表示させる場合に、アクティブマトリクス部２１の上下方向、即ち複数の走査線Ｙ１〜Ｙｍを上から順に選択する走査方向の下の画素ほどより明るくなるような「上下方向における輝度むら」が発生する。
【００３４】
このような「上下方向における輝度むら」が発生するのは、次のような理由による。
アクティブマトリクス部２１では、複数の走査線Ｙ１〜Ｙｍが上から順に選択され、各画素２５に正極性のデータ信号が順に書き込まれて１フレーム（正フィールド）が構成される。次のフレーム（負フィールド）では、複数の走査線Ｙ１〜Ｙｍが同様に選択され、各画素に負極性のデータ信号が順に書き込まれる。
【００３５】
このような動作が１フレームごとに繰り返されるため、走査線Ｙ１〜Ｙｍの内、１フレームにおいて選択される順番がより遅い走査線に接続された画素２５では、その順番の早い走査線に接続された画素２５と比べて、データ信号が書き込まれてから次フレームに移るまでの時間がより短くなる。つまり、選択される順番がより遅い走査線に接続された各画素２５では、画素に書き込まれたデータに対して、逆極性のデータが信号線に印加される時間が長くなる。これにより、走査線Ｙ１〜Ｙｍにそれぞれ接続された各画素に書き込まれて保持されたデータ信号に応じた各画素２５の画素電極２９の電位（画素電極電位）は、ＴＦＴ２６のオフ抵抗を通じてリークする。そのリーク量（各画素電極で低下する電位）は、アクティブマトリクス部２１の下方にある画素２５ほど大きくなる。その結果、アクティブマトリクス部２１の上下方向における輝度は、下の画素２５ほど各画素電極２９で低下する電圧値が大きくなるので、より明るい表示となる（ノーマリホワイト・モードの場合）。
【００３６】
このような上下方向における輝度むらが発生するのを抑制するために、本実施形態に係る液晶表示装置２０の駆動方法は、複数の走査線Ｙ１〜Ｙｍを選択する走査方向を１フレームごとに変更する点に特徴がある。つまり、この駆動方法では、ｎフレーム目においては、複数の走査線Ｙ１〜Ｙｍを第１行目から第ｍ行目まで上から順に選択し（図３（ａ）参照）、ｎ＋１フレーム目においては、複数の走査線Ｙ１〜Ｙｍを第ｍ行目から第１行目まで下から順に選択する（図３（ｂ）参照）。
【００３７】
なお、図３（ａ），（ｂ）では、説明を簡単にするために、走査線駆動回路３３により駆動される６本の走査線Ｙ１〜Ｙ６と、各走査線にそれぞれ接続された８個の画素２５とを示してある。図３（ａ）に示すｎフレーム目においては、走査線駆動回路３３により最上位（第１行目）の走査線Ｙ１から最下位（第６行目）の走査線Ｙ６まで矢印４０で示す走査方向に上から順に選択され、「１」〜「６」の数字でそれぞれ示す走査線選択順に各画素２５にデータ信号が書き込まれる。また、図３（ｂ）に示すｎ＋１フレーム目においては、走査線駆動回路３３により最下位（第６行目）の走査線Ｙ６から最上位（第１行目）の走査線Ｙ１まで矢印４０ａで示す走査方向に下から順に選択され、「１」〜「６」の数字でそれぞれ示す走査線選択順に各画素２５にデータ信号が書き込まれる。
【００３８】
このような駆動方法を実現するために、本実施形態に係る液晶表示装置２０は、図１に示すように、１フレーム分の表示データを保持するフレームメモリ５０と、複数の走査線Ｙ１〜Ｙｍを順に選択する走査方向を１フレームごとに変更する走査線駆動手段とを備える。さらに、液晶表示装置２０は、走査線駆動手段により選択される各走査線に接続された１行分の画素２５の表示データをフレームメモリ５０から読み出し、読み出した１行分の画素の各表示データを対応するデータ信号に変換して各画素２５に書き込む信号線駆動手段を備える。
【００３９】
走査線駆動手段は、１フレームごとに走査方向を切り換えるための走査方向切換え信号
ＤＩＲＹを走査線駆動回路３３へ出力する制御回路３５と、走査方向切換え信号ＤＩＲＹに応じて走査方向を１フレームごとに変更する走査線駆動回路３３とで構成される。
【００４０】
信号線駆動手段は、走査線駆動回路３３により選択される各走査線に接続された１行分の画素２５の表示データをフレームメモリ５０から読み出して出力する制御回路３５と、制御回路３５から出力される１行分の画素の各表示データを対応するデータ信号に変換して各画素２５に書き込む信号線駆動回路３４とで構成される。
【００４１】
制御回路３５は、図４に示すように、走査線Ｙ１〜Ｙｍを順に選択する垂直走査期間の最初に供給される垂直同期信号ＶＳＹＮＣに同期して１フレームごとに正（＋）或いは負（−）の走査方向切換え信号ＤＩＲＹ（以下、単に「正或いは負のＤＩＲＹ信号」という。）を交互に走査線駆動回路３３へ出力するようになっている。
【００４２】
走査線駆動回路３３は、例えば、正のＤＩＲＹ信号が制御回路３５から出力される場合には複数の走査線Ｙ１〜Ｙｍを図３（ａ）の矢印４０で示す走査方向に上から順に選択し、負のＤＩＲＹ信号が制御回路３５から出力される場合には走査線Ｙ１〜Ｙｍを図３（ｂ）の矢印４０ａで示す走査方向に下から順に選択するようになっている。
【００４３】
このような走査線駆動回路３３の動作を図５及び図７に基づいて説明する。
走査線駆動回路３３は、正のＤＩＲＹ信号が入力される場合、図５に示すｎフレーム目のように、垂直走査期間の最初に供給される転送開始信号ＤＹ及びクロック信号ＣＬＹにより走査信号Ｇ１〜Ｇｍを順に生成して出力することで、走査線Ｙ１〜Ｙｍを図３（ａ）の矢印４０で示す走査方向に上から順に選択していく。
【００４４】
つまり、図５に示すように、ｔ１時点に対向電極電位ＬＣＣＯＭがＬＣＣＯＭＨからＬＣＣＯＭＬに変化した後、ｔ２時点に転送開始信号ＤＹが走査線駆動回路３３に供給されると、走査線駆動回路３３はｔ３時点からｔ５時点までの間で、走査信号Ｇ１〜Ｇｍを順に生成して出力することで、走査線Ｙ１〜Ｙｍを上から順に選択していく。走査信号Ｇｍによる選択期間がｔ５時点で終了した後、ｔ６時点に対向電極電位ＬＣＣＯＭがＬＣＣＯＭＬからＬＣＣＯＭＨに変化するようになっている。
【００４５】
一方、走査線駆動回路３３は、上記ｎフレーム目の次のフレームであるｎ＋１フレーム目において負のＤＩＲＹ信号が入力される場合、図７に示すように、転送開始信号ＤＹ及びクロック信号ＣＬＹにより走査信号Ｇｍ〜Ｇ１を順に生成して出力することで、走査線Ｙ１〜Ｙｍを図３（ｂ）の矢印４０ａで示す走査方向に下から順に選択していく。
【００４６】
つまり、図７に示すように、ｔ１時点に対向電極電位ＬＣＣＯＭがＬＣＣＯＭＬからＬＣＣＯＭＨに変化した後、ｔ２時点に転送開始信号ＤＹが走査線駆動回路３３に供給されると、走査線駆動回路３３はｔ３時点からｔ５時点までの間で、走査信号Ｇｍ〜Ｇ１を順に生成して出力することで、走査線Ｙｍ〜Ｙ１を下から順に選択していく。走査信号Ｇ１による選択期間がｔ５時点で終了した後、ｔ６時点に対向電極電位ＬＣＣＯＭがＬＣＣＯＭＨからＬＣＣＯＭＬに変化するようになっている。
【００４７】
このように、走査線Ｙ１〜Ｙｍを上から順に選択する下向きの垂直走査と、走査線Ｙ１〜Ｙｍを下から順に選択する上向きの垂直走査とが、走査線駆動回路３３により１フレームごとに繰り返される。
【００４８】
信号線駆動回路３４は、データ信号（電圧信号）を複数の信号線Ｘ１〜Ｘｎを介して各画素２５に書き込むためのサンプリング回路、サンプリング回路の動作タイミングをコントロールするシフトレジスタ、ビデオ信号線（図示略）に入力される各画素のデジタル階
調データを１行分保持するラッチ回路、及びアナログ／デジタル変換回路等を備える。
【００４９】
信号線駆動回路３４は、例えば図６に示すように、走査線Ｙ１〜Ｙｍが上から順に或いは下から順に選択される１水平走査期間（図６のｔ４時点からｔ５時点までの期間）に、Ｈレベルのデータ選択信号Ｓ１〜Ｓｎを順次に出力する。これにより、各水平走査期間において、選択された走査線に接続された１行分の画素２５の各々にデータ信号が順に書き込まれる。
【００５０】
以上のように構成された第１実施形態によれば、以下の作用効果を奏する。
○複数の走査線Ｙ１〜Ｙｍを選択する走査方向を１フレームごとに変更するようにしている。つまり、ｎフレーム目においては、走査線Ｙ１〜Ｙｍを第１行目から第ｍ行目まで上から順に選択し（図３（ａ）参照）、ｎ＋１フレーム目においては、複数の走査線Ｙ１〜Ｙｍを第ｍ行目から第１行目まで下から順に選択する（図３（ｂ）参照）。これにより、表示領域としてのアクティブマトリクス部２１の輝度は、ｎフレーム目においては下の画素２５ほどより明るくなり、ｎ＋１フレーム目においては上の画素２５ほどより明るくなる。その結果、ｎフレーム目における上下方向の輝度むらとｎ＋１フレーム目における上下方向の輝度むらとが互いに打ち消し合う。つまり、各画素の輝度が２フレームで平均化されて同じになり、上下方向における輝度むらが抑制された表示が得られる。
【００５１】
また、上下方向における輝度むらを抑制するための駆動方法を実現するのに、走査方向を１フレームごとに変更するように構成するだけでよいので、複数の走査線を駆動する走査線駆動回路３３の構成が複雑になって製造コストが高くなるのを回避できる。
【００５２】
したがって、上下方向における輝度むらの抑制を低コストで実現することができる。
○上下方向における輝度むらを抑制するための駆動方法を実現するのに、正或いは負のＤＩＲＹ信号を１フレームごとに交互に出力するように制御回路３５を構成するとともに、正或いは負のＤＩＲＹ信号に応じて走査方向を１フレームごとに変更するように走査線駆動回路３３を構成するだけでよい。そのため、走査線駆動回路３３や制御回路３５に僅かな変更を加えるだけで、上下方向における輝度むらが抑制された高品質な表示を実現することができる。
【００５３】
[第２実施形態]
第２実施形態に係る液晶表示装置２０Ａを図８〜図１２に基づいて説明する。
第２実施形態に係る液晶表示装置２０Ａの駆動方法は、上記第１実施形態と同様に１フレームごとに走査方向を逆にするとともに、各フレームにおいて、複数の走査線のうち、偶数行の走査線と奇数行の走査線とで走査方向を逆にする点に特徴がある。
【００５４】
この駆動方法を実現するために、液晶表示装置２０Ａは、図８及び図９に示すように、左右２つの走査線駆動回路３３Ｌ，３３Ｒを備えている。左側の走査線駆動回路３３Ｌは、ｍ本の奇数行の走査線Ｙ１Ｌ（Ｙ１），Ｙ２Ｌ（Ｙ３），Ｙ３Ｌ（Ｙ５），・・・，ＹｍＬ（Ｙ２ｍ−１）を駆動する。右側の走査線駆動回路３３Ｒは、ｍ本の偶数行の走査線Ｙ１Ｒ（Ｙ２），Ｙ２Ｒ（Ｙ４），Ｙ３Ｒ（Ｙ６），・・・，ＹｍＲ（Ｙ２ｍ）を駆動するようになっている。
【００５５】
この駆動法方法を図８（ａ），（ｂ）に基づいて説明する。
図８（ａ），（ｂ）では説明を簡単にするために、走査線駆動回路３３Ｌにより駆動される３本の奇数行の走査線Ｙ１，Ｙ３，Ｙ５と、走査線駆動回路３３Ｒにより駆動される３本の偶数行の走査線Ｙ２，Ｙ４，Ｙ６と、各走査線にそれぞれ接続された８個の画素２５と、を示している。また、図８（ａ），（ｂ）では、走査線駆動回路３３Ｌと、これにより駆動される３本の奇数行の走査線Ｙ１，Ｙ３，Ｙ５に接続された各画素２５とを網掛
けで示し、走査線駆動回路３３Ｒと、これにより駆動される３本の偶数行の走査線Ｙ２，Ｙ４，Ｙ６に接続された各画素２５とを白で示してある。
【００５６】
ｎフレーム目においては、図８(ａ)に示すように、奇数行の走査線Ｙ１，Ｙ３，Ｙ５を矢印４２で示す下向きの走査方向に上から順に選択し、偶数行の走査線Ｙ２，Ｙ４，Ｙ６を矢印４３で示す上向きの走査方向に下から順に選択する。このとき、奇数行の走査線Ｙ１を最初に選択し、その後、偶数行の走査線と奇数行の走査線とを１本ずつ交互に選択し、偶数行の走査線Ｙ２を最後に選択する。つまり、ｎフレーム目においては、（１）奇数行の走査線Ｙ１→（２）偶数行の走査線Ｙ６→（３）奇数行の走査線Ｙ３→（４）偶数行の走査線Ｙ４→（５）奇数行の走査線Ｙ５→（６）偶数行の走査線Ｙ２の順に走査線が選択される。これにより、「１」〜「６」の数字でそれぞれ示す走査線選択順に各画素２５にデータ信号が書き込まれる。
【００５７】
一方、ｎ＋１フレーム目においては、図８(ｂ)に示すように、奇数行の走査線Ｙ１，Ｙ３，Ｙ５を矢印４４で示す上向きの走査方向に下から順に選択し、偶数行の走査線Ｙ２，Ｙ４，Ｙ６を矢印４５で示す下向きの走査方向に上から順に選択する。このとき、偶数行の走査線Ｙ２を最初に選択し、その後、奇数行の走査線と偶数行の走査線とを１本ずつ交互に選択し、奇数行の走査線Ｙ１を最後に選択する。つまり、ｎ＋１フレーム目においては、（１）偶数行の走査線Ｙ２→（２）奇数行の走査線Ｙ５→（３）偶数行の走査線Ｙ４→（４）奇数行の走査線Ｙ３→（５）偶数行の走査線Ｙ６→（６）奇数行の走査線Ｙ１の順に走査線が選択される。これにより、「１」〜「６」の数字でそれぞれ示す走査線選択順に各画素２５にデータ信号が書き込まれる。
【００５８】
図９は本実施形態に係る液晶表示装置２０Ａの電気的構成を示している。この液晶表示装置２０Ａの制御回路３５Ａは、図１０に示すように、垂直同期信号ＶＳＹＮＣに同期して極性が変化する走査方向切換え信号ＤＩＲＹＬを走査線駆動回路３３Ｌに出力するとともに、走査方向切換え信号ＤＩＲＹＲを走査線駆動回路３３Ｒに出力するようになっている。走査方向切換え信号ＤＩＲＹＲ（以下、「ＤＩＲＹＲ信号」という）は、走査方向切換え信号ＤＩＲＹＬ（以下、「ＤＩＲＹＬ信号」という。）の反転信号である。
【００５９】
また、制御回路３５Ａは、正（＋）のＤＩＲＹＬ信号を走査線駆動回路３３Ｌに出力し、負（−）のＤＩＲＹＲ信号を走査線駆動回路３３Ｒに出力するｎフレーム目（図１０参照）には、図１１に示すイネイブル信号ＥＮＢＹＬ，ＥＮＢＹＲを走査線駆動回路３３Ｌ，３３Ｒにそれぞれ出力するようになっている。このときのイネイブル信号ＥＮＢＹＬ（以下、「ＥＮＢＹＬ信号」という。）は、転送開始信号ＤＹとクロック信号ＣＬＹがｔ１２時にＬからＨに変化した後、クロック信号ＣＬＹの立下りに同期して（ｔ１３時点に）ＬからＨになる、その後はクロック信号ＣＬＹの反転信号になる。
【００６０】
一方、このときのイネイブル信号ＥＮＢＹＲ（以下、「ＥＮＢＹＲ信号」という。）は、ｔ１３時後にクロック信号ＣＬＹがＬからＨに変化するｔ１４時点にＬからＨに変化し、その後はクロック信号ＣＬＹと同じ信号になる。
【００６１】
また、制御回路３５Ａは、負（−）のＤＩＲＹＬ信号を走査線駆動回路３３Ｌに出力し、正（＋）のＤＩＲＹＲ信号を走査線駆動回路３３Ｒに出力するｎ＋１フレーム目（図１０参照）には、図１２に示すＥＮＢＹＬ信号，ＥＮＢＹＲ信号を走査線駆動回路３３Ｌ，３３Ｒにそれぞれ出力するようになっている。このときのＥＮＢＹＲ信号は図１１のＥＮＢＹＬ信号と同じであり、このときのＥＮＢＹＬ信号は図１１のＥＮＢＹＲ信号と同じである。
【００６２】
次に、液晶表示装置２０Ａの動作を図１１及び図１２に基づいて説明する。なお、図１
１はｎフレーム目における走査線駆動回路３３Ｌ，３３Ｒの動作を一緒に示し、図１２はｎ＋１フレーム目における走査線駆動回路３３Ｌ，３３Ｒの動作を一緒に示している。
【００６３】
走査線駆動回路３３Ｌは、制御回路３５Ａから正（＋）のＤＩＲＹＬ信号が入力される場合、図１１に示すｎフレーム目のように、転送開始信号ＤＹ及びクロック信号ＣＬＹにより、走査信号の２倍の周期を持つ信号ＧＯ１〜ＧＯｍをシフトレジスタにより順に生成する。同様に、走査線駆動回路３３Ｒは、制御回路３５Ａから負（−）のＤＩＲＹＲ信号が入力される場合、図１１に示すｎフレーム目のように、ＧＯ１〜ＧＯｍをシフトレジスタにより順に生成する。
【００６４】
図１１のｔ１１，ｔ１２，ｔ１３及びｔ１７は、図５のｔ１，ｔ２，ｔ３及びｔ６にそれぞれ相当する。
走査線駆動回路３３Ｌは、信号ＧＯ１〜ＧＯｍとＥＮＢＹＬ信号の論理積（アンド）をそれぞれ出力するｍ個のＡＮＤゲート回路により、走査信号Ｇ１Ｌ〜ＧｍＬを順に生成して出力することで、ｔ１３時点からｔ１５時点までの間で、奇数行の走査線Ｙ１Ｌ（Ｙ１）〜ＹｍＬ（Ｙ２ｍ−１）を下向きの走査方向に上から順に選択する。同様に、走査線駆動回路３３Ｒは、信号ＧＯ１〜ＧＯｍとＥＮＢＹＲ信号の論理積をそれぞれ出力するｍ個のＡＮＤゲート回路により、走査信号Ｇ１Ｒ〜ＧｍＲを順に生成して出力することで、ｔ１４時点からｔ１６時点までの間で、偶数行の走査線Ｙ１Ｒ（Ｙ２）〜ＹｍＲ（Ｙ２ｍ）を上向きの走査方向に下から順に選択する。
【００６５】
このようにして、ｎフレーム目においては、図９に示す奇数行の走査線Ｙ１Ｌ（Ｙ１）〜ＹｍＬ（Ｙ２ｍ−１）を下向きの走査方向に上から順に選択し、偶数行の走査線Ｙ１Ｒ（Ｙ２）〜ＹｍＲ（Ｙ２ｍ）を上向きの走査方向に下から順に選択する。このとき、奇数行の走査線Ｙ１Ｌ（Ｙ１）を最初に選択し、その後、偶数行の走査線と奇数行の走査線とを１本ずつ交互に選択し、偶数行の走査線Ｙ１Ｒ（Ｙ２）を最後に選択する。
【００６６】
上述したｎフレーム目の次のフレームであるｎ＋１フレーム目においては、図１０に示すように、走査線駆動回路３３Ｒに正（＋）のＤＩＲＹＲ信号が入力され、走査線駆動回路３３Ｌに負（−）のＤＩＲＹＬ信号が入力される。
【００６７】
このｎ＋１フレーム目において、走査線駆動回路３３Ｒは、図１２に示すように、信号ＧＯ１〜ＧＯｍとＥＮＢＹＲ信号の論理積をそれぞれ出力するｍ個のＡＮＤゲート回路により、走査信号ＧｍＲ〜Ｇ１Ｒを順に生成して出力する。これにより、ｔ１３時点からｔ１５時点までの間で、偶数行の走査線Ｙ１Ｒ（Ｙ２）〜ＹｍＲ（Ｙ２ｍ）を下向きの走査方向に上から順に選択する。同様に、走査線駆動回路３３Ｌは、信号ＧＯ１〜ＧＯｍとＥＮＢＹＬ信号の論理積をそれぞれ出力するｍ個のＡＮＤゲート回路により、走査信号ＧｍＬ〜Ｇ１Ｌを順に生成して出力することで、ｔ１４時点からｔ１６時点までの間で、奇数行の走査線Ｙ１Ｌ（Ｙ１）〜ＹｍＬ（Ｙ２ｍ−１）を上向きの走査方向に下から順に選択する。
【００６８】
このようにしてｎ＋１フレーム目においては、偶数行の走査線Ｙ１Ｒ（Ｙ２）〜ＹｍＲ（Ｙ２ｍ）を下向きの走査方向に上から順に選択し、奇数行の走査線Ｙ１Ｌ（Ｙ１）〜ＹｍＬ（Ｙｍ）を上向きの走査方向に下から順に選択する。このとき、偶数行の走査線Ｙ１Ｒ（Ｙ２）を最初に選択し、その後、奇数行の走査線と偶数行の走査線とを１本ずつ交互に選択し、奇数行の走査線Ｙ１Ｌ（Ｙ１）を最後に選択する。
【００６９】
以上のように構成された第２実施形態によれば、上記第１実施形態の奏する作用効果に加えて、以下の作用効果を奏する。
○１フレームごとに走査方向を逆にするとともに、各フレームにおいて、複数の走査線
のうち、偶数行の走査線と奇数行の走査線とで走査方向を逆にすることで、１フレームごとに走査方向を逆にすることにより生じるフリッカを低減することができる。つまり、１フレームごとに明るさの分布が変わることによって表示画面がチラツイて見えるのを抑制することができる。
【００７０】
○ｎフレーム目においては、奇数行の走査線Ｙ１Ｌ（Ｙ１）〜ＹｍＬ（Ｙ２ｍ−１）を上から順に選択し、偶数行の走査線Ｙ１Ｒ（Ｙ２）〜ＹｍＲ（Ｙ２ｍ）を下から順に選択する（図８（ａ）参照）。このとき、奇数行の走査線Ｙ１Ｌ（Ｙ１）を最初に選択し、その後、偶数行の走査線と奇数行の走査線とを１本ずつ交互に選択し、偶数行の走査線Ｙ１Ｒ（Ｙ２）を最後に選択する。また、ｎ＋１フレーム目においては、偶数行の走査線Ｙ１Ｒ（Ｙ２）〜ＹｍＲ（Ｙ２ｍ）を下向きの走査方向に上から順に選択し、奇数行の走査線Ｙ１Ｌ（Ｙ１）〜ＹｍＬ（Ｙ２ｍ−１）を上向きの走査方向に下から順に選択する。このとき、偶数行の走査線Ｙ１Ｒ（Ｙ２）を最初に選択し、その後、奇数行の走査線と偶数行の走査線とを１本ずつ交互に選択し、奇数行の走査線Ｙ１Ｌ（Ｙ１）を最後に選択する。
【００７１】
このような駆動方法により、奇数行の走査線Ｙ１Ｌ（Ｙ１）〜ＹｍＬ（Ｙ２ｍ−１）を上から順に選択する垂直走査と、偶数行の走査線Ｙ１Ｒ（Ｙ２）〜ＹｍＲ（Ｙ２ｍ）を下から順に選択する垂直走査とが、１フレーム期間内に並行してなされる。そのため、垂直走査期間の最初に供給される転送開始信号ＤＹは１フレーム期間に１回ですみ、転送開始信号ＤＹの出力に関しては従来の制御回路の構成を変更する必要がない。
【００７２】
[第３実施形態]
第３実施形態に係る液晶表示装置２０Ｂを図１３（ａ），（ｂ）に基づいて説明する。
この液晶表示装置２０Ｂの駆動方法は、上記第１実施形態と同様に１フレームごとに走査方向を逆にするとともに、各フレームにおいて、前記マトリクス状に配置された複数の画素２５のうち、偶数列の画素と奇数列の画素とで走査方向を逆にする点に特徴がある。
【００７３】
この駆動方法を実現するために、液晶表示装置２０Ａは、左右２つの走査線駆動回路３３Ｌ，３３Ｒを備える。左側の走査線駆動回路３３Ｌは、例えばｍ本の奇数行の走査線Ｙ１Ｌ（Ｙ１），Ｙ２Ｌ（Ｙ３），Ｙ３Ｌ（Ｙ５），・・・，ＹｍＬ（Ｙ２ｍ−１）を駆動する。右側の走査線駆動回路３３Ｒは、ｍ本の偶数行の走査線Ｙ１Ｒ（Ｙ２），Ｙ２Ｒ（Ｙ４），Ｙ３Ｒ（Ｙ６），・・・，ＹｍＲ（Ｙ２ｍ）を駆動するようになっている。
【００７４】
図１３（ａ），（ｂ）では説明を簡単にするために、ｍ本の奇数行の走査線Ｙ１Ｌ（Ｙ１）〜ＹｍＬ（Ｙ２ｍ−１）のうちの６本の走査線Ｙ１Ｌ（Ｙ１）〜Ｙ６Ｌ（Ｙ１１）と、ｍ本の偶数行の走査線Ｙ１Ｒ〜ＹｍＲ（Ｙ２ｍ）のうちの６本の走査線Ｙ１Ｒ（Ｙ２）〜Ｙ６Ｒ（Ｙ１２）とを示してある。また、走査線駆動回路３３Ｌにより駆動される６本の走査線Ｙ１Ｌ〜Ｙ６Ｌには、網掛けで示す奇数列の画素２５がそれぞれ接続され、走査線駆動回路３３Ｒにより駆動される６本の走査線Ｙ１Ｒ〜Ｙ６Ｒには、白で示す偶数列の画素２５がそれぞれ接続されている。
【００７５】
次に、液晶表示装置２０Ｂの駆動方法を、図１３（ａ），（ｂ）に基づいて説明する。
ｎフレーム目においては、図１３（ａ）に示すように、走査線駆動回路３３Ｌにより、６本の奇数行の走査線Ｙ１Ｌ〜Ｙ６Ｌを、矢印４２で示す下向きの走査方向に上から順に選択する。これにより、網掛けで示す奇数列の各画素２５に、「１」〜「６」の数字でそれぞれ示す走査線選択順にデータ信号が書き込まれる。同時に、走査線駆動回路３３Ｒにより、６本の偶数行の走査線Ｙ１Ｒ〜Ｙ６Ｒを、矢印４３で示す上向きの走査方向に下から順に選択する。これにより、白で示す偶数列の各画素２５に、「１」〜「６」の数字でそれぞれ示す走査線選択順にデータ信号が書き込まれる。こうして、ｎフレーム目の画像が形成される。
【００７６】
ｎ＋１フレーム目においては、図１３（ｂ）に示すように、走査線駆動回路３３Ｌにより、奇数行の走査線Ｙ１Ｌ〜Ｙ６Ｌを、矢印４４で示す上向きの走査方向に下から順に選択する。これにより、網掛けで示す奇数列の各画素２５に、「１」〜「６」の数字でそれぞれ示す走査線選択順にデータ信号が書き込まれる。同時に、走査線駆動回路３３Ｒにより、偶数行の走査線Ｙ１Ｒ〜Ｙ６Ｒを、矢印４５で示す下向きの走査方向に上から順に選択する。これにより、白で示す偶数列の各画素２５に、「１」〜「６」の数字でそれぞれ示す走査線選択順にデータ信号が書き込まれる。こうして、ｎ＋１フレーム目の画像が形成される。
【００７７】
以上のように構成された第３実施形態によれば、上記第１実施形態の奏する作用効果に加えて、以下の作用効果を奏する。
○１フレームごとに走査方向を逆にするとともに、各フレームにおいて、マトリクス状に配置された複数の画素２５のうち、偶数列の画素と奇数列の画素とで走査方向を逆にすることで、１フレームごとに走査方向を逆にすることにより生じるフリッカを低減することができる。
【００７８】
[第４実施形態]
第４実施形態に係る液晶表示装置２０Ｃを図１４（ａ），（ｂ）に基づいて説明する。
この液晶表示装置２０Ｃの駆動方法は、上記第１実施形態と同様に１フレームごとに走査方向を逆にするとともに、各フレームにおいて、マトリクス状に配置された複数の画素のうち、「（偶数行、偶数列）または（奇数行、奇数列）」の画素と「（偶数行、奇数列）または（奇数行、偶数列）」の画素とで走査方向を逆にする点に特徴がある。
【００７９】
この駆動方法を実現するために、液晶表示装置２０Ｃは、左右２つの走査線駆動回路３３Ｌ，３３Ｒを備える。左側の走査線駆動回路３３Ｌは、例えばｍ＋１本の奇数行の走査線Ｙ１Ｌ（Ｙ１），Ｙ２Ｌ（Ｙ３），Ｙ３Ｌ（Ｙ５），・・・，Ｙｍ＋１Ｌ（Ｙ２ｍ＋１）を駆動する。右側の走査線駆動回路３３Ｒは、ｍ本の偶数行の走査線Ｙ１Ｒ（Ｙ２），Ｙ２Ｒ（Ｙ４），Ｙ３Ｒ（Ｙ６），・・・，ＹｍＲ（Ｙ２ｍ）を駆動するようになっている。
【００８０】
図１４（ａ），（ｂ）では説明を簡単にするために、ｍ＋１本の奇数行の走査線Ｙ１Ｌ（Ｙ１）〜Ｙｍ＋１Ｌ（Ｙ２ｍ＋１）のうちの４本の走査線Ｙ１，Ｙ３，Ｙ５，Ｙ７と、ｍ本の偶数行の走査線Ｙ１Ｒ〜ＹｍＲ（Ｙ２ｍ）のうちの３本の走査線Ｙ２，Ｙ４，Ｙ６とを示してある。また、「（奇数行、奇数列）の画素」と「（偶数行、偶数列）」の画素とを網掛けで示してある。「（偶数行、奇数列）」の画素と「（奇数行、偶数列）」の画素とを白で示してある。
【００８１】
走査線Ｙ１は１行目の画素のうちの奇数列の画素に接続されている。走査線Ｙ２は、１行目の画素のうちの偶数列の画素と、２行目の画素のうちの奇数列の画素とに接続されている。走査線Ｙ３は、２行目の画素のうちの偶数列の画素と、３行目の画素のうちの奇数列の画素とに接続されている。走査線Ｙ４は、３行目の画素のうちの偶数列の画素と、４行目の画素のうちの奇数列の画素とに接続されている。走査線Ｙ５は、４行目の画素のうちの偶数列の画素と、５行目の画素のうちの奇数列の画素とに接続されている。走査線Ｙ６は、５行目の画素のうちの偶数列の画素と、６行目の画素のうちの奇数列の画素とに接続されている。そして、走査線Ｙ７は、６行目の画素のうちの偶数列の画素に接続されている。
【００８２】
次に、液晶表示装置２０Ｃの駆動方法を、図１４（ａ），（ｂ）に基づいて説明する。
ｎフレーム目においては、図１４（ａ）に示すように、走査線駆動回路３３Ｌにより、
奇数行の走査線Ｙ１，Ｙ３，Ｙ５，Ｙ７を、矢印４２で示す下向きの走査方向に上から順に選択するとともに、走査線駆動回路３３Ｒにより、偶数行の走査線Ｙ２，Ｙ４，Ｙ６を、矢印４３で示す上向きの走査方向に下から順に選択する。
【００８３】
このとき、奇数行の走査線Ｙ１を最初に選択し、その後、偶数行の走査線と奇数行の走査線とを１本ずつ交互に選択し、偶数行の走査線Ｙ２を選択した後に、奇数行の走査線Ｙ７を選択する。つまり、ｎフレーム目においては、（１）奇数行の走査線Ｙ１→（２）偶数行の走査線Ｙ６→（３）奇数行の走査線Ｙ３→（４）偶数行の走査線Ｙ４→（５）奇数行の走査線Ｙ５→（６）偶数行の走査線Ｙ２→（７）奇数行の走査線Ｙ７の順に走査線が選択される。これにより、「１」〜「７」の数字でそれぞれ示す走査線選択順に各画素２５にデータ信号が書き込まれる。
【００８４】
こうして、「（偶数行、偶数列）または（奇数行、奇数列）」の画素と「（偶数行、奇数列）または（奇数行、偶数列）」の画素とで走査方向を逆にしてｎフレーム目の画像が形成される。
【００８５】
ｎ＋１フレーム目においては、図１４（ｂ）に示すように、走査線駆動回路３３Ｒにより、奇数行の走査線Ｙ１，Ｙ３，Ｙ５，Ｙ７を、矢印４４で示す上向きの走査方向に下から順に選択するとともに、走査線駆動回路３３Ｒにより、偶数行の走査線Ｙ２，Ｙ４，Ｙ６を、矢印４５で示す下向きの走査方向に上から順に選択する。
【００８６】
このとき、奇数行の走査線Ｙ７を最初に選択し、その後、偶数行の走査線と奇数行の走査線とを１本ずつ交互に選択し、偶数行の走査線Ｙ６を選択した後に、奇数行の走査線Ｙ１を選択する。つまり、ｎ＋１フレーム目においては、（１）奇数行の走査線Ｙ７→（２）偶数行の走査線Ｙ２→（３）奇数行の走査線Ｙ５→（４）偶数行の走査線Ｙ４→（５）奇数行の走査線Ｙ３→（６）偶数行の走査線Ｙ６→（７）奇数行の走査線Ｙ１の順に走査線が選択される。これにより、「１」〜「７」の数字でそれぞれ示す走査線選択順に各画素２５にデータ信号が書き込まれる。
【００８７】
こうして、「（偶数行、偶数列）または（奇数行、奇数列）」の画素と「（偶数行、奇数列）または（奇数行、偶数列）」の画素とで走査方向を逆にしてｎ＋１フレーム目の画像が形成される。
【００８８】
以上のように構成された第４実施形態によれば、上記第１実施形態の奏する作用効果に加えて、以下の作用効果を奏する。
○１フレームごとに走査方向を逆にするとともに、各フレームにおいて、マトリクス状に配置された複数の画素２５のうち、「（偶数行、偶数列）または（奇数行、奇数列）」の画素と「（偶数行、奇数列）または（奇数行、偶数列）」の画素とで走査方向を逆にする。これにより、１フレームごとに走査方向を逆にすることにより生じるフリッカを低減することができる。
【００８９】
[第５実施形態]
第５実施形態に係る液晶表示装置２０Ｄを図１５（ａ）〜（ｄ）及び図１６に基づいて説明する。
【００９０】
この液晶表示装置２０Ｄの駆動方法は、上記第１実施形態において、１フレームごとに走査方向を逆にするのに代えて、２フレームごとに走査方向を逆にする点に特徴がある。
この駆動方法は、上記正フィールドと負フィールドの２フレームでは、上記走査方向を下向きとし（図１５（ａ），（ｂ）参照）、次の正フィールドと次の負フィールドの２フレームでは、走査方向を上向きとする（図１５（ｃ），（ｄ）参照））。こうして、２フ
レームごとに走査方向を逆にする。
【００９１】
この駆動方法を実現するために、液晶表示装置２０Ｄの前記制御回路３５（或いは３５Ａ）は、図１６に示すように、垂直同期信号ＶＳＹＮＣに同期して２フレームごとに正（＋）或いは負（−）の走査方向切換え信号ＤＩＲＹを交互に走査線駆動回路３３（或いは走査線駆動回路３３Ｌ，３３Ｒ）へ出力するようになっている。
【００９２】
以上のように構成された第５実施形態によれば、上記第１実施形態の奏する作用効果に加えて、以下の作用効果を奏する。
○上記第１実施形態のように、１フレームごとに走査方向を逆にする場合、連続する２フレーム間で、各画素の液晶には直流電圧成分が印加される状態となり、好ましくない。
【００９３】
例えば、図１７（ａ）に示すように正フィールドで走査方向を下向きにして、全ての画素を同じ輝度で表示させる場合、アクティブマトリクス部２１に発生する上記「上下方向における輝度むら」により、下の画素２５ほど各画素電極２９で低下する電圧値が大きくなる。例えば、各画素２５の画素電極２９に保持される電圧値が上から下に向かって５Ｖから４Ｖまで漸次変化する。そして、図１７（ｂ）に示すように負フィールドで走査方向を上向きにして、全ての画素を同じ輝度で表示させる場合、上記「上下方向における輝度むら」により、上の画素２５ほど各画素電極２９で低下する電圧値が大きくなる。例えば、各画素２５の画素電極２９に保持される電圧値が下から上に向かって５Ｖから４Ｖまで漸次変化する。その結果、連続する２フレーム間で、各画素２５の液晶には、例えば５Ｖと４Ｖの差分の直流電圧成分が印加される状態となる。
【００９４】
これに対して、第５実施形態に係る液晶表示装置２０Ｄのように、２フレームごとに走査方向を逆にすることにより、図１５（ａ），（ｂ）及び図１５（ｃ），（ｄ）にそれぞれ示す２フレーム（走査方向が同じである連続する２フレーム）において、正負の電荷が打ち消し合う。つまり、走査方向が同じである連続する２フレームにおいて、各画素２５の液晶には、同じ値の電圧が印加されることになり、図１７（ａ），（ｂ）で説明したような直流電圧成分が液晶に印加されるのを防止できる。
【００９５】
なお、上下方向における輝度むらについては、２フレームごとに走査方向を逆にすることにより、図１５に示す４フレームで上下輝度むらが打ち消し合うので、各画素の輝度が４フレームで平均化されて同じになり、上下方向における輝度むらが抑制された表示が得られる。
【００９６】
[第６実施形態]
第６実施形態に係る液晶表示装置を説明する。
この液晶表示装置の駆動方法は、上記第１実施形態において、各画素２５へのデータ信号の書き込みを６０ＨＺ以上のフレーム周波数で行う点に特徴がある。
【００９７】
例えば、各画素２５へのデータ信号の書き込みを６０ＨＺの２倍、４倍のフレーム周波数等、通常のフレーム周波数である６０Ｈｚより早くデータ信号の書き込みを行う。
以上のように構成された第６実施形態によれば、上記第１実施形態の奏する作用効果に加えて、以下の作用効果を奏する。
【００９８】
○１フレームごとに走査方向を逆にするとともに、各フレームにおいて、各画素２５へのデータ信号の書き込みを６０ＨＺ以上のフレーム周波数で行うことで、１フレームごとに走査方向を逆にすることにより生じるフリッカを低減することができる。
【００９９】
［電子機器］
次に、上記各実施形態で説明した液晶表示装置２０，２０Ａ或いは２０Ｂを用いた電子機器について説明する。液晶表示装置２０，２０Ａ或いは２０Ｂは、図１８に示すような液晶プロジェクタなどの投射型表示装置１１０に適用できる。この投射型表示装置１１０は、Ｒ（赤）、Ｇ（緑）、Ｂ（青）の異なる色毎に透過型液晶ライトバルブ１１２，１１３，１１４を備えた３板式の投射型カラー表示装置である。これらの透過型液晶ライトバルブ１１２，１１３，１１４が、上記各実施形態で説明した液晶表示装置２０，２０Ａ或いは２０Ｂでそれぞれ構成されている。
【０１００】
図１８に示すように、投射型表示装置１１０は、プロジェクタ本体１１１と、照明装置１２０と、色分離合成系１３０と、複数の投射レンズを有する投射装置としての投射光学系１４０とを備えている。プロジェクタ本体１１１内に、照明装置１２０及び色分離合成系１３０や、電源装置１５０等が内蔵されている。
【０１０１】
照明装置１２０は、光源１１５と、２つのフライアイレンズ１１６，１１７と、偏光変換装置１１８とを有する。色分離合成系１３０は、２つのダイクロイックミラー１２１，１２２と、３つの反射ミラー１２３〜１２５と、３つのリレーレンズ１２６〜１２８と、３つの液晶ライトバルブ１１２〜１１４と、クロスダイクロイックプリズム１２９とを有する。
【０１０２】
光源１１５は、高圧水銀ランプ或いはメタルハライドランプ等のランプ１２０ａと、ランプ１２０ａからの光Ｌ（以下、「光源光Ｌ」という。）を反射するリフレクタ１２０ｂとを有する。また、光源光Ｌの照度分布を液晶ライトバルブ１１２〜１１４において均一化させるために、２つのフライアイレンズ１１６，１１７が設けられている。各フライアイレンズ１１６，１１７は、二次元に配置された複数個（例えば、６×８個）のレンズ１１６ａ，１１７ａでそれぞれ構成されている。こうして、液晶ライトバルブ１１２〜１１４は、光源光Ｌでフライアイレンズ１１６，１１７によって均一な照度で照明されるようになっている。
【０１０３】
偏光変換装置１１８は、フライアイレンズ１１７側に設けられた偏光ビームスプリッタアレイ（ＰＢＳアレイ）と、ＰＢＳアレイによって反射された偏光の偏光方向を変換する１／２波長板とを有し、光源光Ｌの光強度を損なうことなく光の偏光方向を一方向に揃えるようになっている。
【０１０４】
ダイクロイックミラー１２１，１２２は、例えばガラス基板に所定の波長選択性を持つ誘電体多層膜を積層したものである。ダイクロイックミラー１２１は、光源光Ｌのうちの赤色光ＬＲを透過させるとともに、緑色光ＬＧと青色光ＬＢを反射させるようになっている。また、ダイクロイックミラー１２２は、ダイクロイックミラー１２１で反射された緑色光ＬＧと青色光ＬＢのうち、緑色光ＬＧを反射させるとともに、青色光ＬＢを透過させるようになっている。
【０１０５】
これにより、色分離合成系１３０では、照明装置１２０から入射する光源光Ｌのうち、赤色光ＬＲは、ダイクロイックミラー１２１を透過した後、反射ミラー１２３で反射されて赤色光用の液晶ライトバルブ１１２に入射される。緑色光ＬＧは、ダイクロイックミラー１２１で反射された後、ダイクロイックミラー１２２で反射されて緑色光用の液晶ライトバルブ１１２に入射される。青色光ＬＢは、ダイクロイックミラー１２１で反射された後、ダイクロイックミラー１２２を透過し、３つのリレーレンズ１２６〜１２８と２つの反射ミラー１２４、１２５からなるリレー系を経て、青色光用の液晶ライトバルブ１１４に入射される。
【０１０６】
光変調装置としての液晶ライトバルブ１１２〜１１４は、ビデオ信号などの上記表示デ
ータに基づいて図示を省略した駆動回路によりそれぞれ駆動されるようになっている。
クロスダイクロイックプリズム１２９は、直角プリズムが貼り合わされた構造となっており、十字状に直交する２つのミラー面の一方には、赤色光ＬＲを反射させるとともに緑色光ＬＧを透過させる誘電体多層膜が、その他方には、青色光ＬＢを反射させるとともに緑色光ＬＧを透過させる誘電体多層膜がそれぞれ形成されている。そして、赤色光ＬＲ、緑色光ＬＧ及び青色光ＬＢの３つの色光が、クロスダイクロイックプリズム１２９によって合成されてカラー画像を表わす光が形成され、この光が投射光学系１４０によりスクリーン１４１上に拡大投射されるようになっている。
【０１０７】
この投射型表示装置１１０によれば、各液晶ライトバルブ１１２，１１３，１１４の上下方向における輝度ムラが抑制された高品質な表示を実現することができる。
[変形例]
なお、この発明は以下のように変更して具体化することもできる。
【０１０８】
・上記第１実施形態では、複数の走査線Ｙ１〜Ｙｍを選択する走査方向を１フレームごとに変更するようにしているが、その走査方向を複数フレームごとに変更するようにしてもよい。
【０１０９】
・上記第２実施形態では、各フレームにおいて、奇数行の走査線を順に選択する走査と、偶数行の走査線を順に選択する走査とを並行して交互に行っているが、本発明はこのような駆動方法に限定されない。各フレームにおいて、奇数行或いは偶数行のいずれか一方の走査線を順に選択する走査を終了した後に、他方の走査線を順に選択する走査を行って１画面の表示を構成するようにしてよい。
【０１１０】
・上記第５実施形態では、上記第１実施形態において、１フレームごとに走査方向を逆にするのに代えて、２フレームごとに走査方向を逆にするようにしているが、第５実施形態の駆動方法は上記第２〜第４実施形態にも適用可能である。
【０１１１】
・上記第６実施形態では、上記第１実施形態において、各画素２５へのデータ信号の書き込みを６０ＨＺ以上のフレーム周波数で行うようにしているが、第６実施形態の駆動方法は上記第２〜第５実施形態にも適用可能である。
【０１１２】
・上記各実施形態では、アクティブマトリクス部２１の上下方向の下の画素ほどより明るくなるような「上下方向における輝度むら」が発生する場合を一例として説明した。しかし、本発明は、アクティブマトリクス部２１の上下方向の上の画素ほどより明るくなるような「上下方向における輝度むら」が発生する場合にも本発明は適用可能である。
【０１１３】
・上記第１実施形態の液晶表示装置２０は、一例として、周辺駆動回路を内蔵したｐ−Ｓｉ形ＴＦＴ駆動方式のアクティブマトリクス液晶表示装置として構成されている。しかし、本発明は、周辺回路内蔵型以外のアクティブマトリクス液晶表示装置にも適用可能である。
【０１１４】
・上記第１実施形態の液晶表示装置２０は、素子基板２２上に、アクティブマトリクス部２１と、走査線駆動回路３３と、信号線駆動回路３４とを形成した周辺回路内蔵型液晶表示装置としたが、制御回路３５の一部についても素子基板２２上に設けた液晶表示装置にも本発明は適用可能である。
【０１１５】
・上記第１実施形態では、信号線駆動回路３４は、一例として、サンプリング回路、シフトレジスタ、各画素のデジタル階調データを１行分保持するラッチ回路、及びデジタル／アナログ変換回路等を備える構成としたが、本発明はこのような構成に限定されない。
【０１１６】
・上記各実施形態では、対向電極電位を１フレームごとに反転させて上記「フレーム反転駆動」を行っているが、他の方法で「フレーム反転駆動」を行う場合にも本発明は適用可能である。
【０１１７】
・上記各実施形態では、ＴＮ（Twisted Nematic ）型の液晶２４を用いているが本発明はこれに限定されない。液晶としては、スイッチング素子を介して各画素に正極性のデータ信号と負極性のデータ信号を所定期間ごと、例えば全画面同極性で、１フレームごとに交互に書き込むフレーム反転が可能なものであればよい。例えば、液晶として１８０°以上のねじれ配向を有するＳＴＮ（Super Twisted Nematic ）型、ＢＴＮ（Bi-stable Twisted Nematic ）型、高分子分散型、ゲストホスト型等を含めて、周知なものを広く用いることができる。
【０１１８】
・上記各実施形態に係る液晶表示装置２０，２０Ａ或いは２０Ｂは、図１１に示すような液晶プロジェクタなどの投射型表示装置１１０に限らず、パーソナルコンピュータ、携帯電話、デジタルカメラ等の各種の電子機器に適用できる。
【０１１９】
・上記各実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【図面の簡単な説明】
【０１２０】
【図１】第１実施形態の駆動回路の電気的構成を示すブロック図。
【図２】アクティブマトリクス部の電気的等価回路の一部を示す回路図。
【図３】（ａ），（ｂ）は第１実施形態の駆動方法を示す模式図。
【図４】第１実施形態の走査方向切換え信号を示すタイミングチャート。
【図５】走査線駆動回路の動作を示すタイミングチャート。
【図６】信号線駆動回路の動作を示すタイミングチャート。
【図７】走査線駆動回路の動作を示すタイミングチャート。
【図８】（ａ），（ｂ）は第２実施形態の駆動方法を示す模式図。
【図９】第２実施形態の駆動回路の電気的構成を示すブロック図。
【図１０】第２実施形態の走査方向切換え信号を示すタイミングチャート。
【図１１】第２実施形態の走査線駆動回路の動作を示すタイミングチャート。
【図１２】第２実施形態の走査線駆動回路の動作を示すタイミングチャート。
【図１３】（ａ），（ｂ）は第３実施形態の駆動方法を示す模式図。
【図１４】（ａ），（ｂ）は第４実施形態の駆動方法を示す模式図。
【図１５】（ａ）〜（ｄ）は第５実施形態の駆動方法を示す模式図。
【図１６】第５実施形態の走査方向切換え信号を示すタイミングチャート。
【図１７】（ａ），（ｂ）は第５実施形態との比較例を示す模式図。
【図１８】液晶表示装置を用いた電子機器を示す平面図。
【符号の説明】
【０１２１】
Ｘ１〜Ｘｎ…信号線、Ｙ１〜Ｙｍ，Ｙ１〜Ｙ６，Ｙ１Ｌ〜ＹｍＬ，Ｙ１Ｒ〜ＹｍＲ…走査線、２０，２０Ａ，２０Ｂ，２０Ｃ，２０Ｄ…電気光学装置としての液晶表示装置、２１…表示領域としてのアクティブマトリクス部、２５…画素、５０…フレームメモリ、１１０…電子機器としての投射型表示装置。
【図１】
2005250382.tif 000003
【図２】
2005250382.tif 000004
【図３】
2005250382.tif 000005
【図４】
2005250382.tif 000006
【図５】
2005250382.tif 000007
【図６】
2005250382.tif 000008
【図７】
2005250382.tif 000009
【図８】
2005250382.tif 000010
【図９】
2005250382.tif 000011
【図１０】
2005250382.tif 000012
【図１１】
2005250382.tif 000013
【図１２】
2005250382.tif 000014
【図１３】
2005250382.tif 000015
【図１４】
2005250382.tif 000016
【図１５】
2005250382.tif 000017
【図１６】
2005250382.tif 000018
【図１７】
2005250382.tif 000019
【図１８】
2005250382.tif 000020